(57)【要約】【課題】  コンテンツの作成者や講師が、学習コンテンツの周知徹底を行うこと。【解決手段】  イーラーニング・テレビ会議システムは、オンデマンドのビデオコンテンツを利用者・講師・登録者端末１０３、１０４、１０５に配信する事で教育機会を得るイーラーニングシステム１０１と、リアルタイムの映像・音声通信が可能なテレビ会議システム１０２を備える。イーラーニングを受講した受講生の受講内容や確認テストの状況から、ビデオコンテンツ登録者もしくは講師がフォロー対象となる受講者を決定し、テレビ会議によるフォローを行う事で受講者の生の意見を聞く事や、表情を確認する事で質問への正確なフォローを行う事を可能とする。【選択図】  図１
2012039288.tif 000002
【特許請求の範囲】
【請求項１】
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムであって、
前記イーラーニングシステムは、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備え、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニング・テレビ会議システム。
【請求項２】
確認テスト結果情報は、アンケート結果、及び、質問・要望事項をさらに含むことを特徴とする請求項１に記載のイーラーニング・テレビ会議システム。
【請求項３】
イーラーニングシステムは、
使用可能なユーザについて、ユーザＩＤ、ｅ−ｍａｉｌアドレス、パスワードを含むユーザ情報を記憶したユーザ認証記憶部を
さらに備え、
前記コンテンツ配信登録情報の登録処理の前に、
イーラーニングシステムは、利用者端末から入力されたユーザＩＤ及びパスワードを含むログイン情報をもとに、ユーザ認証記憶部を参照して、ユーザ情報の照合を行い、その照合結果を利用者端末に送信し、
認証が照合されると、イーラーニングシステムは、コンテンツの登録を行う
ことを特徴とする請求項１又は２に記載のイーラーニング・テレビ会議システム。
【請求項４】
イーラーニングシステムは、
使用可能なユーザについて、ユーザＩＤ、ｅ−ｍａｉｌアドレス、パスワードを含むユーザ情報を記憶したユーザ認証記憶部
をさらに備え、
コンテンツと確認テストの内容を利用者端末に配信する前に、
イーラーニングシステムは、利用者端末から入力されたユーザＩＤ及びパスワードを含むログイン情報をもとに、ユーザ認証記憶部を参照して、ユーザ情報の照合を行い、その照合結果を利用者端末に送信し、
認証が照合されると、イーラーニングシステムは、コンテンツの配信を行う
ことを特徴とする請求項１乃至３のいずれかに記載のイーラーニング・テレビ会議システム。
【請求項５】
フォロー対象者選定フェーズにおいて、
イーラーニングシステムは、ユーザ情報記憶部を参照し、ユーザＩＤ及びコンテンツＩＤに対する、閲覧開始時刻と閲覧終了時刻から受講時間を計算し、テスト開始時刻とテスト終了時刻から試験時間を計算し、
イーラーニングシステムは、ユーザ情報記憶部を参照し、ユーザＩＤに対するフォロー希望情報に基づきコンテンツ視聴者がフォローを希望しているか否か判断し、また、確認テストの結果が、前記配信登録記憶部に記憶された前記フォロー判断条件を満たすか判断し、
フォロー対象の条件を満たさなかった場合は、イーラーニングシステムは、フォロー対象者選定フェーズを終了し、
一方、ユーザがフォロー対象の条件を満たす場合は、イーラーニングシステムは、フォロー日を選定するためのフォロー日選定フェーズを実行する
ことを特徴とする請求項１乃至４のいずれかに記載のイーラーニング・テレビ会議システム。
【請求項６】
前記配信登録記憶部に記憶された前記フォロー判断条件は、フォロー対象再試験受講回数、受講時間、試験時間を含み、
イーラーニングシステムは、確認テストの結果が、前記配信登録記憶部に記憶された前記フォロー判断条件を満たすか判断する際、ユーザＩＤ及びコンテンツＩＤに対して、試験回数がフォロー対象再試験受講回数以上か、求めた受講時間が受講時間未満か、求めた試験時間が試験時間未満か、という判断条件のうち予め定められたいずれかひとつ又は複数に該当するかにより判断する
ことを特徴とする請求項５に記載のイーラーニング・テレビ会議システム。
【請求項７】
前記フォロー日選定フェーズでは、
イーラーニングシステムは、テレビ会議サーバに対し、フォロー候補日の予約状況について確認を求め、
テレビ会議サーバは、予約状況を確認し、確認結果を、イーラーニングシステムへ通知し、
イーラーニングシステムは、フォロー候補日を、フォロー対象者の利用者端末に送信し、
利用者端末からどの候補日もフォロー参加出来ない回答を受信した場合、イーラーニングシステムは講師・登録者端末に該当フォロー対象者が候補日にフォローに参加できない旨をイーメールにより送信し、
一方、
利用者端末からフォロー参加可能な候補日を選択した回答を受信した場合、イーラーニングシステムは、テレビ会議システムへフォロー候補日とフォロー対象者のテレビ会議予約要求を送信し、
テレビ会議システムは、その情報に基づきテレビ会議予約を行い、イーラーニングシステムへ予約完了通知を行い、
イーラーニングサーバはフォロー候補日が正式にフォロー日に決定した事及びテレビ会議に参加する為のアドレスをイーメールにより、利用者端末及び／又は講師・登録者端末に送信することを特徴とする請求項５又は６に記載のイーラーニング・テレビ会議システム。
【請求項８】
フォロー日選定フェーズにより選定されたフォロー対象日には、
講師・登録者端末と利用者端末が、フォローを開始・参加する為、ＴＶ会議システムにログインして、予約されたテレビ会議室に入室し、フォローが完了したら、テレビ会議室から退出し、フォローの完了となることを特徴とする請求項７に記載のイーラーニング・テレビ会議システム。
【請求項９】
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムであって、
前記イーラーニングシステムは、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備えた、イーラーニング・テレビ会議システムにおけるイーラーニング・テレビ会議方法であって、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニング・テレビ会議方法。
【請求項１０】
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムにおける、イーラーニングシステムであって、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備え、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニングシステム。
【発明の詳細な説明】
【技術分野】
【０００１】
本発明は、イーラーニング・テレビ会議システム及び方法、イーラーニングシステムに係り、特に、オンデマンドで配信した研修等のコンテンツの理解が不足していると考えられるコンテンツの視聴者に対し、視聴後にテレビ会議によるフォローを行うことによって、配信内容の周知徹底を図ることができるイーラーニング・テレビ会議システム及び方法、イーラーニングシステムに関する。
【背景技術】
【０００２】
近年、通信ネットワークを介して教材コンテンツを提供する教育システム、いわゆるイーラーニングシステムが提案され、実用化されている。
イーラーニングシステムはテキストデータではなく映像と音声を利用する事により、相手に伝えたい内容をより分かりやすく正確に伝える事ができるシステムである。イーラーニングシステムは主に教育目的や重要事項の周知徹底を行う目的での利用されており、多くの団体や企業が導入している。また、イーラーニングの内容によっては受講者が正しく内容の理解が行えているか確認するために、講義受講後に教材に付加されたテストを行う事により、内容の確認を行う。たとえば、特許文献１ではイーラーニングによる学習をより効率的にするため、イーラーニングの節々に登場する確認テストの回答結果を反映し、イーラーニングの番組進行の変更をおこなうというシステムである。
【先行技術文献】
【特許文献】
【０００３】
【特許文献１】特開２００７−１２３９７５号公報
【発明の概要】
【発明が解決しようとする課題】
【０００４】
しかしながら、上記技術では、イーラーニングの作成者や講師は、受講者に内容について周知徹底が行えているかの確認を行う場合、テストの結果やアンケートの記載からでしか、確認する事が出来ず、受講者の生の意見を聞く事や、質問への正確なフォローを行う事が困難な場合があった。
【０００５】
また受講者側は質問や要望事項を作成者や講師側に伝える場合も、通常はテキストベースや電話等によって行うことしかできないため、正しい問題解決を行うことが困難な場合があった。
【０００６】
上記課題を解決するため、通信ネットワークを介して固定及び／又は移動型の各種利用者・講師・登録者端末を接続し、オンデマンド配信とテレビ会議を提供可能なように構成されたイーラーニング・テレビ会議システムを提供することを目的とする。
【課題を解決するための手段】
【０００７】
本発明は、例えば、通信ネットワークを介して固定及び／又は移動型の各種利用者・講師・登録者端末を接続し、オンデマンド配信とテレビ会議を提供可能なように構成されたイーラーニング・テレビ会議システムである。
上記イーラーニング・テレビ会議システムは、例えば、機能的に大きく、オンデマンドのビデオコンテンツを利用者・講師・登録者端末に配信するイーラーニングシステムと、リアルタイムの映像・音声通信が可能なテレビ会議システムを備える。このシステムはそれぞれ個別に利用可能であるが、本発明では利用者・講師・登録者端末のＷｅｂブラウザを介して、イーラーニングシステムを通じてテレビ会議の予約が行うことができる。
【０００８】
前記イーラーニングシステムは、受講者に配信するオンデマンド講義の映像・音声とその講義に付随する演習内容が書き込まれたコンテンツ情報と、そのコンテンツの受講状況の統計情報とコンテンツ毎の視聴率、受講者、講師等が記載された視聴状況情報と、講義に付随する確認テストの統計情報や受講者毎の試験結果が記載された演習統計情報と、コンテンツの配信登録内容が記載されたコンテンツ登録情報と、受講者についての情報と、管理者、講師についての情報と、登録者、講師、受講者等の利用情報がデータに記載されたデータベースと、前記利用者・講師・登録者端末のＷｅｂブラウザにコンテンツを登録する事と、コンテンツを視聴する事と、前記コンテンツの視聴状況情報、演習統計情報、コンテンツ登録情報を閲覧する事と、テレビ会議を予約する事が可能なインターフェースを提供するＷｅｂサーバと、コンテンツの配信登録が正しく完了した際又は、コンテンツの受講の情報を利用者もしくは登録者に通達するためのＷｅｂサーバと、上記のコンテンツを利用者に配信するためのコンテンツ配信サーバと、指定した受講者をテレビ会議に予約するためのテレビ会議の予約機能と、確認テストの回答内容を基に確認テスト受講者が再テストを行うか否かを判断する確認テスト回答内容判断手段、確認テストの登録情報と回答に基づきフォロー対象者を決定するフォロー対象者判断手段を有する事を特徴とすることができる。
【０００９】
前記テレビ会議サーバは、テレビ会議の利用状況についての統計情報と、会議毎の参加数、参加者、予約者、時間等が記載された会議情報と、参加者毎や予約者、管理者毎の使用履歴情報や、管理者、開催者、参加者等の利用者情報がデータに記載されたデータベースと、前記利用者・講師・登録者端末のＷｅｂブラウザにテレビ会議の参加を行う事と、会議の開催を行う事と、会議情報、使用履歴情報、利用者情報とを閲覧する事を可能としたＷｅｂサーバと、テレビ会議の開催もしくはテレビ会議の参加の情報を利用者に通達する事を可能としたＷｅｂサーバと、複数拠点間のビデオ会議を実施する事を可能とした装置のＭＣＵと、抽出した前記会議情報を元に前記ＭＣＵを介して当該テレビ会議端末に対する会議開催に伴う制御・管理を行うテレビ会議管理手段と、前記テレビ会議管理手段により前記ＭＣＵを介してテレビ会議端末に対する制御・管理情報を送受信するための各種スケジュールを管理するスケジュール管理手段と、イーラーニングシステムによって送信されるテレビ会議開催に伴う会議の開始時刻、終了時刻又は開催時間、変更時間、会議場所が反映された各種情報の授受をイーラーニングシステムサーバと行うためのＡＰＩ（Ａｐｐｌｉｃａｔｉｏｎ  Ｐｒｏｇｒａｍ  Ｉｎｔｅｒｆａｃｅを有する事ができる。
【００１０】
利用者・講師・登録者端末は、上記テレビ会議サーバによる管理を受けテレビ会議を行うテレビ会議端末と、イーラーニングシステムと、テレビ会議サーバのＷｅｂインターフェースを操作する事が出来るＷｅｂブラウザと、テレビ会議の参加の情報とコンテンツの受講の情報を受け取る事が出来るイーメール機能を有する事ができる。
【００１１】
本発明の第１の解決手段によると、
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムであって、
前記イーラーニングシステムは、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備え、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニング・テレビ会議システムが提供される。
【００１２】
本発明の第２の解決手段によると、
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムであって、
前記イーラーニングシステムは、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備えた、イーラーニング・テレビ会議システムにおけるイーラーニング・テレビ会議方法であって、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニング・テレビ会議方法が提供される。
【００１３】
本発明の第３の解決手段によると、
ビデオコンテンツを管理・配信するためのイーラーニングシステムと、テレビ会議システムと、コンテンツを視聴する受講対象者の利用者端末と、講師・登録者端末とをネットワークで接続したイーラーニング・テレビ会議システムにおける、イーラーニングシステムであって、
ユーザＩＤ及びコンテンツＩＤ毎に、受講済／未情報、閲覧開始時刻、閲覧終了時刻、テスト受験済／未情報、テスト開始時刻、テスト終了時刻、確認テストの回答、フォロー希望の有無を表すフォロー希望情報を含む確認テスト情報、試験回数・点数を含む採点結果情報を記憶するユーザ情報記憶部と、
コンテンツＩＤ毎に、コンテンツの視聴期間、コンテンツＩＤ、受講対象者情報、講師情報、確認テストの合格点・時間制限、フォローについてのフォロー有／無情報及びフォロー判断条件、ＴＶ会議についての会議参加人数・会議回数・ＴＶ会議候補日時を含むコンテンツ配信登録情報を記憶する配信登録記憶部と
を備え、
イーラーニングシステムは、コンテンツの視聴期間、コンテンツＩＤ、受講対象者情報、講師情報、確認テストの合格点・時間制限、フォローについてのフォロー有／無及びフォロー判断条件、ＴＶ会議についての会議参加人数・会議回数・ＴＶ会議候補日時を含むコンテンツ配信登録情報を、講師・登録者端末から受信し、該コンテンツ配信登録情報をコンテンツＩＤ毎に配信登録記憶部に登録し、
イーラーニングシステムは、配信登録記憶部に記憶された、コンテンツＩＤ、受講対象者情報、講師情報、会議回数、会議参加人数、ＴＶ会議候補日時を含むＴＶ会議予約情報を元に、ＴＶ会議システムに対して、ＴＶ会議のログイン及び予約を行い、
ＴＶ会議システムは、ＴＶ会議予約情報をイーラーニングシステムから受け取り、ＴＶ会議予約情報をもとに予約情報の登録を行い、ＴＶ会議の登録が正しく記憶できた場合、登録ＯＫの応答をイーラーニングシステムに送信し、
イーラーニングシステムは、コンテンツＩＤを含むコンテンツ配信登録情報の一部又は全部の情報とＴＶ会議予約情報を、講師用・登録者用端末に表示し、且つ、講師・登録者端末にＥ−ｍａｉｌで通知し、
利用者端末から、視聴するコンテンツが選択され、ユーザＩＤ及びコンテンツＩＤ含む視聴要求をイーラーニングシステムが受信すると、
イーラーニングシステムは、ユーザ情報記憶部に、エントリを作成し、視聴要求に基づき、ユーザＩＤとコンテンツＩＤを記憶し、
イーラーニングシステムは、コンテンツＩＤに対応する、予め記憶されたコンテンツと確認テストの内容を、利用者端末に配信し、
利用者端末により、コンテンツの視聴受講が行われると、イーラーニングシステムは、コンテンツ受講について、受講済／未情報、閲覧開始時刻、閲覧終了時刻を、ユーザＩＤ及びコンテンツＩＤに対応してユーザ情報記憶部へ登録し、
コンテンツの視聴後にユーザにより確認テストが受験されると、イーラーニングシステムは、テスト受験済／未情報、テスト開始時刻、テスト終了時刻、確認テストの回答、フォロー希望情報を含む確認テスト情報を、ユーザＩＤ及びコンテンツＩＤに対応してユーザ情報記憶部に記憶し、
イーラーニングシステムは、予め記憶された確認テストの正解情報と、ユーザ情報記憶部に記憶されたユーザの回答をもとに採点を行い、試験回数・点数を含む採点結果情報を、ユーザ情報記憶部に記憶し、
イーラーニングシステムは、配信登録記憶部を参照し、そこに記憶されたコンテンツＩＤと、それに対する合格点及び／又は時間制限に基づき、採点結果情報がテスト合格の基準か判断し、
採点結果情報がテスト合格の基準に満たない場合、イーラーニングシステムは、利用者端末に対し、再テストを求めるメッセージを送り、一方、採点結果情報がテスト合格の基準に達した場合は、イーラーニングシステムは、配信登録記憶部に記憶されたフォロー有／無情報及びフォロー対象条件をもとにその視聴者がフォロー対象か否かを判断するフォロー対象者選定フェーズを実行する
イーラーニングシステムが提供される。
【発明の効果】
【００１４】
本発明によれば、ビデオコンテンツを視聴後、内容の正確な理解が行えなかったと判断される受講者に対し、テレビ会議によるフォローを行う事により、講義内容の周知徹底や、周知徹底の確認、またコンテンツの是正点の把握が行う事が出来る。
【図面の簡単な説明】
【００１５】
【図１】本実施の形態におけるイーラーニング・テレビ会議システムの構成概略図である。
【図２】本実施の形態におけるイーラーニング・テレビ会議システムの処理フローを示す概略図１である。
【図３】本実施の形態におけるイーラーニング・テレビ会議システムの処理フローを示す概略図２である。
【図４】本実施の形態におけるイーラーニング・テレビ会議システムのフォロー対象者のコンテンツ登録画面例１である。
【図５】本実施の形態におけるイーラーニング・テレビ会議システムのフォロー対象者のコンテンツ登録画面例２である。
【図６】本実施の形態におけるイーラーニング・テレビ会議システムの確認テスト画面例である。
【図７】本実施の形態におけるイーラーニング・テレビ会議システムのフォロー対象者のテレビ会議候補日選択画面例である。
【図８】本実施の形態におけるイーラーニング・テレビ会議システムのコンテンツ登録時のイーラーニングシステム内の処理フローを示す概略図である。
【図９】本実施の形態におけるイーラーニング・テレビ会議システムのフォロー対象者選定フェーズの処理フローを示す概略図である。
【図１０】本実施の形態におけるイーラーニング・テレビ会議システムのフォロー日選定フェーズの処理フローの概略図である。
【図１１】本実施の形態におけるイーラーニング・テレビ会議システムのユーザ情報記憶部の説明図である。
【図１２】本実施の形態におけるイーラーニング・テレビ会議システムの配信登録記憶部の説明図である。
【図１３】本実施の形態におけるイーラーニング・テレビ会議システムのイーラーニングシステムの詳細機能ブロック図である。
【図１４】本実施の形態におけるイーラーニング・テレビ会議システムのテレビ会議サーバの詳細機能ブロック図である。
【図１５】本実施の形態におけるイーラーニングシステムのデータベースのブロック図である。
【図１６】本実施の形態におけるイーラーニング・テレビ会議システムのデータベース内に記憶されているコンテンツ視聴者の受講情報とコンテンツ・確認テスト・フォロー登録情報を記載した図である。
【図１７】本実施の形態におけるイーラーニング・テレビ会議システムのデータベース内に記憶されているコンテンツ視聴者の受講情報とコンテンツ・確認テスト・フォロー登録情報を記載した図である。
【発明を実施するための形態】
【００１６】
次に、本発明の実施の形態について説明する。
なお、本実施に形態においては、通信ネットワークの一例として、インターネットを利用した場合について説明する。
【００１７】
１．システム
図１は、本発明の一実施の形態におけるイーラーニング・テレビ会議システムの概略構成図である。
図１において、イーラーニング・テレビ会議システムは、テレビ会議システムの管理や通信について司るテレビ会議システム（テレビ会議サーバ）１０２、ビデオコンテンツを管理・配信するためのイーラーニングシステム１０１と、Ｈ．３２３やＳＩＰ等のプロトコルを用い、テレビ会議による通信を行う事が可能なテレビ会議端末機能１３１と、Ｗｅｂブラウザ機能１３２と、イーメール機能１３３を有するＰＣもしくは携帯電話の様な任意の利用者端末１０３、Ｈ．３２３やＳＩＰ等のプロトコルを用い、テレビ会議による通信を行う事が可能なテレビ会議端末機能１４１と、Ｗｅｂブラウザ機能１４２と、イーメール  機能１４３を有するＰＣもしくは携帯電話の様な任意の講師端末１０４、Ｗｅｂブラウザ機能１５２と、イーメール  機能１５３を有するＰＣもしくは携帯電話の様な任意の登録者端末１０５を備える。
通信ネットワーク１０６は、イーラーニングシステム１０１とテレビ会議サーバ１０２と、利用者端末１０３と講師端末１０４と登録者端末１０５との間を１つ又は複数の適宜の通信ネットワークを用い、必要な通信経路でそれぞれの装置を接続する。
【００１８】
図１３は、イーラーニング・テレビ会議システムのイーラーニングシステムの詳細機能ブロック図である。
イーラーニングシステム１０１は、図１３に示すように、次の構成を備える。
・講師端末１０４と登録者端末１０５と利用者端末１０３を利用し、コンテンツ管理担当者はイーラーニングに関する細かな各種設定を行う事と、登録担当者はコンテンツの情報について登録し、配信を行う事と、コンテンツの受講情報や質問要請に伴い受講者にフォローを行うテレビ会議を予約する事を可能とし、また、コンテンツの登録情報を受講者、もしくは管理者、登録者に対し配信をする事を可能とし、また、ビデオコンテンツを受講者に配信する事を可能としたＷｅｂサーバ１２１、
・テレビ会議サーバ１０２に内蔵されたＡＰＩ１１６を利用し、テレビ会議のスケジュールやＭＣＵリソースからテレビ会議可能時間帯を表示し、予約する事を可能としたテレビ会議予約機能１２４、
・受講者に配信するオンデマンド講義の映像・音声とその講義に付随する演習内容が書き込まれたコンテンツ情報と、そのコンテンツの受講状況の統計情報とコンテンツ毎の視聴率、受講者、講師等が記載された視聴状況情報と、講義に付随する確認テストの統計情報や受講者毎の再受講履歴や試験結果が記載された演習統計情報と、コンテンツの配信登録内容が記載されたコンテンツ登録情報と、受講者についての情報と、管理者についての情報と、登録者、講師等の利用者情報がデータに記載されたデータベース１２６、
・確認テストの登録情報と回答に基づきフォロー対象者を決定するフォロー対象者判断手段１２７
【００１９】
図１４は、イーラーニング・テレビ会議システムのテレビ会議サーバの詳細機能ブロック図である。
テレビ会議サーバ１０２は、図１４に示すように、次の構成を備える。
・テレビ会議の管理担当者が講師端末１０４・登録者端末１０５のＷｅｂブラウザ１４２、１５１からアクセスしてテレビ会議に関する細かな各種設定を行う事と、会議予約担当者がＷｅｂブラウザ１４２、１５１から予約を行う事が可能なＷｅｂアプリケーションを提供し、かつイーラーニングシステム１０１のＷｅｂサーバ１２１のリンクからテレビ会議の予約等を行う事が可能とし、また、テレビ会議の予約情報を会議参加者、もしくは管理者、開催者に送信する事を可能とするＷｅｂサーバ１１１、
・接続されるテレビ会議端末に対する制御を行うＭＣＵ１１３、
・Ｗｅｂブラウザ１５１から設定されたテレビ会議開催に関する情報と、イーラーニングシステム１０１のＷｅｂサーバ１２１から設定された同じくテレビ会議開催に関する情報を元に、ＭＣＵ１１３及び、テレビ会議端末１３１、１４１との制御情報のやり取りを行い、またＭＣＵ１１３固有の設定情報を扱い、また、テレビ会議開催に伴うスケジュール全体の管理を司るスケジュール予約管理手段１１２と、
・イーラーニングシステム１２０からテレビ会議の予約やテレビ会議の会議スケジュールやＭＣＵリソース情報を提供するためのＡＰＩ１１６、
・受講者に配信するオンデマンド講義の映像・音声とその講義に付随する演習内容が書き込まれたコンテンツ情報と、そのコンテンツの受講状況の統計情報とコンテンツ毎の視聴率、受講者、講師等が記載された視聴状況情報と、講義に付随する確認テストの統計情報や受講者毎の再受講履歴や試験結果が記載された演習統計情報と、コンテンツの配信登録内容が記載されたコンテンツ登録情報と、受講者についての情報と、管理者についての情報と、登録者、講師等の利用者情報がデータに記載されたデータベース１１５
【００２０】
また、図１５に、下記に記載するイーラーニング・テレビ会議システムのイーラーニングシステムとテレビ会議サーバの連携をするにあたって、データベース内の記憶部を記載する。
データベース内には、ユーザ認証記憶部１３５０、配信登録記憶部１３０７、ユーザ情報記憶部１３０８を含む。
ユーザ認証記憶部１３５０には、本イーラーニングシステム１０１を使用可能なユーザについて、ユーザ名、ユーザＩＤ、ＰＣのＩＤ、ｅ−ｍａｉｌアドレス、電話番号、パスワード等の適宜の情報が対応して記憶されている。
【００２１】
図１１に、ユーザ情報記憶部の説明図について記載する。
イーラーニングシステム１０１は、この情報（コンテンツ視聴状況情報等）を基にフォロー対象者選定等を行う。
ユーザ情報記憶部にはコンテンツの視聴対象となっている受講者ＩＤ番号９０１と、その視聴者が受講完了しているかどうかを判断する欄９０２と、コンテンツ視聴者がコンテンツの閲覧を開始した時刻９０３と終了した時刻９０４が記憶されている。
また、ユーザ情報記憶部には確認テストが受講完了しているかどうかを判断する欄９０５と確認テストを開始した時刻９０６と、テストが終了した時刻９０７を記憶する。
また受験した試験の回数９０８はいくらか、その回数毎の点数９０９、９１０、９１１は何点であったかが記憶される。
また、そのコンテンツ視聴者がフォロー対象であるか否か９１２、フォローを希望しているか否か９１３、そのコンテンツ視聴者がフォローを済ませているかどうかについての情報９１４が記憶されている。
さらに、コンテンツ視聴者からの回答９１５、アンケート結果９１６、質問・要望事項９１７等が記憶される。
【００２２】
図１２に、配信登録記憶部の説明図について記載する。
イーラーニングシステム１０１は、この情報を基にコンテンツ登録を行う。
コンテンツ登録情報記憶部には、コンテンツ毎に定義されたコンテンツ番号１００１とそのコンテンツ名１００２と、そのコンテンツが視聴可能となる日時１００３、視聴終了となる日時１００４が記憶される。
またコンテンツの視聴を行うことが可能な受講対象グループ１００５と、受講対象者１００６が記憶される。
また該当コンテンツの講師グループ１００７と、講師１００８が記憶される。
ここで、講師情報１００８を記載する理由は、コンテンツ登録時、フォローのためのテレビ会議の予約を行う際に、イーラーニングシステム１２０が講師１００８のテレビ会議予約も行うからである。
また確認テストやフォローの有無によって、確認テストがあるか否か１００９、フォローがあるか否か１０１３が記憶される。
以上が、コンテンツの登録に必要な情報である。
【００２３】
確認テストやフォローの有無によって、コンテンツ登録情報テーブルについて下記情報が付与される。
確認テストがある場合に関しては、試験回数は何回までかといった情報１０１０、合格点１０１１、受験時間１０１２が記憶される。
フォローがある場合に関しては、フォロー対象となる試験回数１０１４、受講時間１０１５、受験時間１０１６、フォローの為のテレビ会議予約を行う回数１０１７、１会議当たりの最大参加人数１０１８、テレビ会議の予約時間１０１９〜１０２１が記憶される。
【００２４】
２．コンテンツ登録配信フロー
図２、３は、本実施の形態におけるイーラーニング・テレビ会議システムの処理フローを示す概略図である。
本フローはコンテンツ登録者がビデオコンテンツの内容について周知徹底を図るために、コンテンツ視聴者がビデオコンテンツの内容について正しい理解が得られていないと考えられる場合に、テレビ会議でのフォローを行うといったフロー図である。
ここでは、コンテンツ登録者もしくが講師がフォロー対象者に対し、テレビ会議でのフォローを行う際に、イーランニング・テレビ会議システムを生かし、フォロー対象者に対し、自動的にテレビ会議予約を行っている部分が特徴である。
本フローではコンテンツ登録者は講師を兼任している者として記載している。
【００２５】
２−１．コンテンツ登録フェーズ
まずコンテンツを登録するフローである「コンテンツ登録フェーズ」２２１について下記に説明する。
コンテンツ登録者２１１は登録者・講師端末（ＰＣ）１０４、１０５を利用しコンテンツ登録２３１を行う。
【００２６】
図１６に、コンテンツ登録フェーズのシーケンス図を示す。
本シーケンスは登録者用ＰＣ１３０１とイーラーニングシステム１３０２とＴＶ会議システム１３０３が関連する。
まずコンテンツの登録者が利用するＷｅｂブラウザ１３０４はＷｅｂサーバ処理部１３０６に対し入力された登録者情報をもとにログインを行う１３１１。
Ｗｅｂサーバ処理部１３０６は入力されたユーザ情報（ユーザＩＤ、ｅ−ｍａｉｌアドレス、パスワード等）をデータベースのユーザ認証記憶部１３５０に対し、照合を行う１３１２、１３１３。ユーザ認証記憶部１３５０には、イーラーニングシステムの使用を承認されたユーザのユーザ情報（ユーザＩＤ、ｅ−ｍａｉｌアドレス、パスワード等）が予め記憶されている。
Ｗｅｂサーバ処理部１３０６は照合された結果をもとに、Ｗｅｂブラウザ１３０４に対し応答を行う１３１４。
コンテンツ登録者はＷｅｂブラウザ１３０４を利用し、Ｗｅｂサーバの処理部１３０６へ対しコンテンツの配信登録を行う１３１５。
【００２７】
図４及び図５は、コンテンツ配信登録は実際の登録画面例である。以下に、これらの図を利用し、説明する。
コンテンツの配信登録は、コンテンツ登録者がコンテンツ登録画面に表示されるコンテンツ視聴期間欄３１０からコンテンツの視聴期間を入力し、コンテンツ名欄３２０から、コンテンツ名を登録する。
続いて、コンテンツ登録者は、ユーザ欄３３０から受講対象グループ３３１と受講対象者３３２を選択し、コンテンツを作成したもしくはフォローを行う講師を講師グループ３３３と講師３３４から選択する。
コンテンツ登録者は、コンテンツ視聴者がコンテンツの内容についてどれくらい理解できているかを図るための確認テストを実施する。
確認テストの実施は、コンテンツ登録者が確認テスト欄３４０のチェックボックスから、確認テストのあり／なしを選択することにより決定する。
コンテンツ登録者が確認テストをなしにした場合は、コンテンツ視聴後の確認テストは行われない。
コンテンツ登録者が確認テストをありに選択した場合は、引き続き、コンテンツ登録者は合格点欄３４１に確認テストの合格点を記載、また再試験回数欄３４２に試験の受験可能回数を記載、時間制限欄３４３にコンテンツの受験可能時間を記載する。
コンテンツ視聴者は「４．確認テスト」欄で登録された内容を基に、テストが合格点に満たなかった場合、もしくは時間制限に回答できなかった場合は再テストを受ける。
またコンテンツ視聴者は再テストを再試験回数欄３４２で設定した値まで行うことができる。
以上で、確認テスト欄の記載は終了である。
【００２８】
続いて、コンテンツ登録者は、テレビ会議によるフォローを行うかどうかをフォロー欄３５０から決定する。
コンテンツ登録者がフォローなしを選択した場合は、テレビ会議によるフォローは行われない。
コンテンツ登録者がフォローありを選択した場合は、引き続き、コンテンツ登録者は再試験受講回数欄３５１にコンテンツ視聴者が再テストを何回以上受けた場合にフォロー対象とするか、受講時間欄３５２より、コンテンツ視聴者がコンテンツを受講した総時間が何分未満でフォロー対象とするか、試験時間欄３５３よりコンテンツ視聴者が確認テストを受験した総時間は何分未満でフォロー対象とするかという条件を記載する。
「５．フォロー」で設定したこれらの内容は全て、コンテンツ視聴者がコンテンツの内容を理解できているかどうかを図るための尺度である。
次に、コンテンツ登録者は、フォローの為の会議を行う回数を会議回数欄３５４に記載する。
また、コンテンツ登録者は１会議参加人数欄３５５より１会議に何人までテレビ会議に招集するかを決定する。
次に、コンテンツ登録者は会議予約時間欄３５６よりテレビ会議の予約時間を決定する。
図５には、会議回数を３回に設定してあるため、３つの予約時間の記載３５８、３５９、３６０がされている。
ここで、コンテンツ登録者はテレビ会議予約時刻参照欄３５７をクリックすると、Ｗｅｂサーバ１２１がテレビ会議サーバのＡＰＩを通し、テレビ会議サーバのＷｅｂサーバ１１１へアクセスすることにより、テレビ会議予約可能時間をテレビ会議のスケジュールを参照する事が出来る。
コンテンツ登録者は、このスケジュール情報と、講師の都合等を考慮し、テレビ会議の予約時間を決定する。
以上、コンテンツ登録に関する全ての記載が終了したら、コンテンツ登録者は登録欄３６２をクリックすると、コンテンツの配信登録は完了する。
【００２９】
図１６に戻り、引き続き、上記の内容でＷｅｂブラウザからコンテンツ配信登録１３１５を行った場合の説明について説明する。
Ｗｅｂサーバの処理部１３０６は入力された情報をもとにデータベースの配信登録記憶部１３０７にコンテンツの登録を記憶する１３１６。
【００３０】
図８は、イーラーニング・テレビ会議システムのコンテンツ登録時のイーラーニングシステム内の処理フローを示す概略図である。ここで、図８を用いてコンテンツ登録者が、「コンテンツ登録フェーズ」２２１でコンテンツ配信登録（６０１）を行った場合のイーラーニングシステム２１３内の動作について記載する。
Ｗｅｂサーバ１２１は、コンテンツ番号を適宜割り当て、コンテンツ登録者がコンテンツ登録画面（図５に表示されるコンテンツ視聴期間欄３１０に入力したコンテンツの視聴期間の値を配信登録記憶部１３０７内の視聴開始時刻１００３及び視聴終了時刻１００４へ入力（６０２）する
Ｗｅｂサーバ１２１はコンテンツ登録者がコンテンツ名欄３２０に入力した値を、配信登録記憶部１３０７内のコンテンツ名１００２に登録する（６０３）。
Ｗｅｂサーバ１２１はコンテンツ登録者がユーザ欄３３０から受講対象グループ３３１と受講対象者３３２を選択した内容を、配信登録記憶部１３０７内の受講対象グループ１００５及び受講対象者１００６へ登録する（６０４）。
Ｗｅｂサーバ１２１はコンテンツ登録者がコンテンツを作成したもしくはフォローを行う講師を講師グループ３３３と講師３３４から選択した内容を配信登録記憶部１３０７内の講師グループ１００７及び講師１００８へ登録する（６０５）
Ｗｅｂサーバ１２１はコンテンツ登録者が決定した確認テストの有無の情報を、配信登録記憶部１３０７内の確認テスト有／無１００９へ登録する（６０６）。
コンテンツ登録者が確認テストをありに選択した場合は、Ｗｅｂサーバ１２１が配信登録記憶部１３０７内の確認テスト有／無１００９に確認テストが行われる旨を登録する。
コンテンツ登録者が確認テストをなしに選択した場合は、Ｗｅｂサーバ１２１が配信登録記憶部１３０７内の確認テスト有／無１００９に確認テストが行われない旨を登録し、コンテンツ配信サーバへコンテンツの登録が行われ、コンテンツの配信登録は完了となる（６１５）。
確認テストがありと選択された場合は、ステップ６０５及び６０６から引き続き、Ｗｅｂサーバ１２１は確認テスト合格点欄３４１に記載された情報を配信登録記憶部１３０７内の合格点１０１１へ（６０７）、再試験回数欄３４２に記載された情報を再試験回数１０１０へ（６０８）、時間制限欄３４３に記載された情報を時間制限１０１２へ登録する（６０９）。
Ｗｅｂサーバ１２１はコンテンツ登録者が決定したテレビ会議によるフォローの有無を配信登録記憶部１３０７内のフォロー有／無１０１３へ登録する（６１０）。
コンテンツ登録者がフォローなしを選択した場合は、Ｗｅｂサーバ１２１が配信登録記憶部１３０７内のフォロー有／無１０１３にフォローが行われない旨を登録し、テレビ会議によるフォローは行われず、コンテンツ配信サーバへコンテンツの登録が行われ、コンテンツの配信登録は完了となる。
コンテンツ登録者がフォローありを選択した場合は、Ｗｅｂサーバ１２１が配信登録記憶部１３０７内のフォロー有／無１０１３にフォローが行われる旨を登録する。
ステップ６０９及び６１０に引き続き、Ｗｅｂサーバ１２１はコンテンツ再試験受講回数欄３５１に記載された情報を配信登録記憶部１３０７内のフォロー対象再試験受講回数１０１４へ、受講時間欄３５２に記載された情報を受講時間１０１５へ、試験時間欄３５３に記載された情報を試験時間１０１６へ登録する。
【００３１】
ここで、Ｗｅｂサーバ１２１は、１会議参加人数欄３５５に記載された情報を配信登録記憶部１３０７内の１会議参加人数１０１８へ、会議回数欄３５４に記載された情報を配信登録記憶部１３０７内の会議回数１０１７へ、会議予約時間欄３５６（３５８〜３６０）に記載された情報をＴＶ会議１回目候補日時１０１９・・・ＴＶ会議Ｎ回目候補日時１０２１へ登録する。
以上が、コンテンツ配信登録情報の内容である。
【００３２】
図１６に戻り、同じくＷｅｂサーバの処理部１３０６はＴＶ会議のログイン・予約をＴＶ会議システムのスケジュール予約管理部１３０９に対し行う１３１７。
このとき、予約はイーラーニングシステムのデータベースの配信登録記憶部１３０７に記憶されたコンテンツ番号１００１、受講対象者１００６、講師情報１００８、会議回数１０１７、１会議参加人数１０１８、ＴＶ会議候補日時１０１９〜１０２１の情報を元に行う。
ＴＶ会議システム１０２では、スケジュール予約管理部１３０９は、配信登録記憶部１３０７に登録されたこれらの情報をイーラーニングシステム１０１のＷｅｂサーバ処理部１３０６から受け取り、この情報をもとに、データベースの予約情報部１３１０に対し、予約情報の登録を行う１３１８。
また、予約情報部１３１０はＴＶ会議の登録が正しく記憶できた場合、登録ＯＫをスケジュール予約管理部１３０９に対し、応答する１３１９。
ＴＶ会議システム１０２のスケジュール予約管理部１３０９はその応答をイーラーニングシステム１０１のＷｅｂサーバ処理部１３０６に対し伝える１３２０。
Ｗｅｂサーバ処理部１３０６は、コンテンツの登録内容とＴＶ会議の予約内容を講師用・登録者用端末１０４、１０５のＷｅｂブラウザ１３０４に表示する１３２１。
同じく、Ｗｅｂサーバ処理部１３０６はコンテンツ登録者のメールアドレスをユーザ認証記憶部１３５０から取得１３２２し、登録者用ＰＣのＥ−ｍａｉｌ機能にコンテンツ登録・ＴＶ会議の登録内容をＥ−ｍａｉｌで通知する１３２３。
【００３３】
図２に戻り、コンテンツ登録者は送信されたメール等を参照し、正常にコンテンツが登録されたことを確認しコンテンツの登録完了となる２３２。
【００３４】
２−２．コンテンツ視聴フェーズ
次に、図２に示すように、コンテンツの視聴開始期間となる。
ここで、図１７に、コンテンツの視聴開始期間中における、「コンテンツ視聴フェーズ」２２２の動作フローについて示す。下記にこの内容について説明する。
コンテンツ視聴者はＷｅｂブラウザ１４０８に自身の情報を入力し（図２、２３３）、イーラーニングシステム１４０２のＷｅｂサーバの処理部１３０６に対し、ログインを行う１４５１。
Ｗｅｂサーバ処理部１３０６はログイン情報（ユーザＩＤ、ＰＣ  ＩＤ、パスワード等）をもとにユーザ認証記憶部１３５０にユーザ情報（ユーザＩＤ、ＰＣ  ＩＤ、パスワード等）の照合を行う１４５２。
ユーザ認証憶部１３５０はユーザ照合結果をＷｅｂサーバ処理部１３０６へ送信する１４５３。
Ｗｅｂサーバ処理部１３０６はその照合結果を視聴者用端末（ＰＣ）１０３のＷｅｂブラウザ１３０４に送信する１４５４。
視聴者はログインＯＫだった場合、Ｗｅｂブラウザ１３０４より視聴するコンテンツを選択し、ユーザＩＤ、コンテンツ番号（コンテンツＩＤ）等を含む視聴要求をＷｅｂサーバ処理部１３０６に送信する１４０９。
Ｗｅｂサーバ処理部１３０６は、選択されたコンテンツＩＤに対応するコンテンツと確認テストの内容をコンテンツ確認テスト記憶部１４０６より、取得する１４１０。
また、Ｗｅｂサーバ処理部１３０６は、ユーザ情報記憶部１３０８にエントリを作成し、ログイン情報及び／又は視聴要求に基づき、ユーザＩＤとコンテンツ番号９０１を記憶する。
コンテンツ確認テスト記憶部１４０６は、コンテンツと確認テストの内容をＷｅｂサーバ処理部１３０６に対し、送信する１４１１。
Ｗｅｂサーバ処理部１３０６は視聴者が選択したコンテンツ・確認テストを配信する１４１２。
イーラーニングシステム１０１より選択されたコンテンツが配信１４１２されるので、コンテンツ視聴者は、視聴用端末（ＰＣ）１０３により、コンテンツの視聴を行う。
イーラーニングシステム１０１のＷｅｂサーバ処理部１３０６は、コンテンツを受講したこと、コンテンツ視聴者がコンテンツ受講を開始した時間と終了した時刻をユーザ情報記憶部１３０８の受講済／未９０２、閲覧開始時刻９０３、閲覧終了時刻９０４へ登録する。
【００３５】
コンテンツ視聴者は、コンテンツの視聴後、確認テストが行われる為、コンテンツ視聴者は確認テストを受験する。
図６は、イーラーニング・テレビ会議システムの確認テスト画面例である。
コンテンツ視聴者は、視聴用端末（ＰＣ）１０３により、確認テスト画面に表示されるテスト問題／解答記載欄４１０に対し、自分の解答を記載し、アンケート欄４２０に表示されるアンケートに回答する。
またコンテンツ視聴者は、視聴用端末（ＰＣ）１０３により、受講内容に質問や要望がある場合、質問要望事項欄４３０のテレビ会議希望欄４３１より、テレビ会議によるフォローを希望するか否かを設定することが出来、同じく質問・要望事項記載欄４３２に質問要望事項を記載する事が出来る。
コンテンツ視聴者は、確認テストに回答すべき内容を記載した後、送信欄４４０をクリックすることで、イーラーニングシステム２１３に対し、確認テストの回答内容等を送信１４１３する。
このように、コンテンツ視聴者は、Ｗｅｂブラウザ１３０４を利用し、コンテンツの視聴・確認テストの回答を行い、イーラーニングシステムに対し送信する１４１３。
以上が、コンテンツ確認テスト回答情報である
【００３６】
図１７に戻り、引き続き、上記の内容でＷｅｂブラウザから確認テスト入力内容送信１４１３を行った場合の説明について説明する。
イーラーニングシステムのＷｅｂサーバ処理部１３０６は、視聴ユーザのコンテンツ視聴内容（受講者ＩＤ（ユーザＩＤ）、コンテンツ番号９０１、受講済み９０２等）と確認テストの回答等をユーザ情報記憶部１３０８に記憶する１４１４。
すなわち、Ｗｅｂサーバ処理部１３０６は、コンテンツ視聴者が確認テストを受験したこと、確認テストの受験を開始した時刻と終了した時刻をユーザ情報記憶部１３０８のテスト受験済／未９０５、テスト開始時刻９０６、テスト終了時刻９０７に登録する。また、Ｗｅｂサーバ処理部１３０６は、確認テストの回答内容等に基づいて、ユーザ情報記憶部１３０８に回答９１５、アンケート（結果）９１６、フォロー希望の有無９１３、質問・要望事項９１７を記憶する。
また、Ｗｅｂサーバ処理部１３０６は、確認テストの正解情報をテスト回答記憶部１４０７より取得する１４１５、１４１６。
その正解情報と、ユーザ情報記憶部１３０８に記憶されたユーザの回答情報９１５をもとに、Ｗｅｂサーバ処理部１３０６は、採点を行い、ユーザ情報記憶部１３０８の試験回数９０８、１回目点数９０９〜Ｎ回目点数９１１の所定欄に試験結果についての情報を記憶する１４１７。
Ｗｅｂサーバ処理部１３０６は、配信登録記憶部１３０７を参照し、そこに記憶されたコンテンツ番号１００１及び／又はコンテンツ名１００２と、それに対する合格点１０１１及び／又は時間制限１０１２等に基づき、採点結果がテスト合格の基準か判断する１４２０。
採点結果がテスト合格の基準に満たない場合、Ｗｅｂサーバ処理部１３０６はコンテンツ視聴者に対し、再テストを求めるメッセージを送る１４２１。
採点結果がテスト合格の基準に達した場合は、Ｗｅｂサーバ処理部１３０６はコンテンツ登録情報をもとにその視聴者がフォロー対象か否かを判断する、「フォロー対象者選定フェーズ」に入る１４２２。
【００３７】
２−３．フォロー対象者選定フェーズ
図２に戻り、フォロー対象者選定フェーズ２２３では、イーラーニングシステム２１３がコンテンツ視聴者の確認テストの回答内容を判断し、コンテンツ視聴者をフォロー対象とするかどうかについて決定する。
図９に、フォロー対象者選定フェーズ２２３の詳しいフロー図を示した。以下に、このフォロー対象者選定フェーズ２２３について説明する。
フォロー対象者選定（７０１）は次の流れで行われる。
Ｗｅｂサーバ処理部１３０６は、ユーザ情報記憶部１３０８を参照し、ユーザＩＤ及びコンテンツ番号（コンテンツ名）に対する、閲覧開始時刻９０３と閲覧終了時刻９０４から受講時間を計算し、テスト開始時刻９０６とテスト終了時刻９０７から試験時間を計算する。
ここで、Ｗｅｂサーバ処理部１３０６は、配信登録記憶部１３０７を参照し、該当するユーザＩＤのユーザについて、フォロー希望９１３の欄に基づきコンテンツ視聴者がフォローを希望しているか否か（７０２）、また、コンテンツ番号１００１及び／又はコンテンツ名１００２に対する、試験回数９０８がフォロー対象再試験受講回数１０１４以上か（７０３）、求めた受講時間が受講時間１０１５未満か（７０４）、求めた試験時間が試験時間１０１６未満か（７０５）、という判断基準に基づき、ステップ７０２〜７０５のフォロー条件判断手段の全ての判断基準をクリアし、コンテンツ視聴者がフォロー対象の条件を満たさなかった場合は、コンテンツ視聴終了（７０６）となり、フォロー対象検討は終了する（７０７）。一方、それ以外は、Ｗｅｂサーバ処理部１３０６は、フォロー対象者に設定し（７０８）、フォロー日選定フェーズ７０９を実行する。
Ｗｅｂサーバ処理部１３０６は、「コンテンツ視聴終了（７０６）」又は「フォロー対象者に決定（７０８）」に従い、ユーザ情報記憶部１３０８のフォロー対象９１２の欄を設定する。
【００３８】
２−４．フォロー日選定フェーズ
つぎに、図２に戻り、フォロー日選定フェーズ２２４に移行する。
図１０に、フォロー日選定フェーズ２２４の詳しいフロー図を示した。
フォロー日選定（８１１）は次の流れで行われる。
フォロー日選定フェーズ２２４では、イーラーニングシステム（１０１）のＷｅｂサーバ１２１はテレビ会議サーバ（１０２）のスケジュール予約管理手段１１２に対し、フォロー候補日の予約状況について確認を求める（８１２）。
テレビ会議サーバ（１０２）のスケジュール予約管理手段１１２はＭＣＵリソース状況（８１３）を確認し、確認結果（８１４）をテレビ会議サーバ（１０２）のＷｅｂサーバ１１１を介し、イーラーニングシステム（１０１）のＷｅｂサーバ１２１へ通知する。
ここで、イーラーニングシステム（１０１）のＷｅｂサーバはフォロー対象者（１０３）に対し、ＭＣＵリソース状況が反映されたフォロー候補日を利用者ＰＣのＷｅｂブラウザに送信する（８１５）。
【００３９】
図７は、イーラーニング・テレビ会議システムのフォロー対象者のテレビ会議候補日選択画面例である。フォロー対象者（１０３）は図７に示したＷｅｂブラウザに表示される候補日選択欄５１０の中からフォロー参加可能な候補日５１１〜５１４を選択する（８１６）。
ここで、この例では、候補日２  ５１２は、テレビ会議サーバ（１０２）のＭＣＵリソースの状況から参加可能人数をオーバしていると判断された為、選択できないようになっている。
候補日１  ５１１、候補日３  ５１３に関してはテレビ会議サーバ（１０２）のＭＣＵリソースに空きがある為、フォロー対象者が候補日として選択できるようになっている。
例では、候補日１  ５１１を選択しているが、もし、フォロー対象者（１０３）の判断（８１７）でどの候補日もフォロー参加出来ない場合は、上記候補日選択不可能欄５１４を選択し、イーラーニングシステム（１０１）へ送信する（８２４）。
この場合、イーラーニングシステム（１０１）のＷｅｂサーバ１２１はコンテンツ登録者（８０４）に該当フォロー対象者が候補日にフォローに参加できない旨をイーメールにより送信する（８２５）。
コンテンツ登録者（８０４）は電話やイーメール等の方法で、フォロー対象者に連絡を取り、別途フォロー日を決定する（８２６）。
この場合、ここでフォロー日選定フェーズは終了する（８２７）。
フォロー対象者（１０３）が指定された候補日にフォロー参加可能ならば、候補日を選択し、イーラーニングシステム（１０１）へ送信する。
その場合イーラーニングシステム（１０１）のテレビ会議予約機能１２４はテレビ会議サーバ（１０２）のスケジュール予約管理手段１１２へフォロー候補日とフォロー対象者のテレビ会議予約要求を送信する（８１８）。
テレビ会議サーバ（１０２）のスケジュール予約管理手段１１２はその情報に基づき、テレビ会議予約を行う（８１９）。
テレビ会議サーバ（１０２）のテレビ会議管理手段は正常にテレビ会議予約が完了した場合、イーラーニングシステム（１０１）のＷｅｂサーバ１２１へ予約完了通知を行う（８２０）。
イーラーニングサーバのＷｅｂサーバ１２１はフォロー候補日が正式にフォロー日に決定した事をイーメールにより送信する（８２１）。
このイーメール送信内容には、フォロー日にフォロー対象者がテレビ会議に参加する為のＷｅｂアドレスも記載してある。
フォロー対象者（１０３）はこの送信されたイーメールを受信し、そのメール内容からテレビ会議への予約の確認、また予約日にイーメールに記載されたＷｅｂアドレスからテレビ会議に参加できるようになっている（８２２）。
以上で、フォロー日選定フェーズは終了し（８２３）、コンテンツ視聴は終了となる２４９。
つぎに、図３を参照して、以下に、フォロー対象日となり、登録者・講師２１１が「フォローフェーズ２２５」、コンテンツ視聴者が「疑問点解消・要望通知フェーズ２２６」に移った動作フローについて説明する。
フォロー対象日には、講師２１１とコンテンツ視聴者２１７の中のフォロー対象者が、フォローを開始２５０・参加する２５１為、予約されたテレビ会議室に入室２５２、２５３する。
そのテレビ会議内で、講師はフォロー対象者に内容を正しく理解しているか、質問や説明を行い、フォロー対象者への内容の周知徹底を行う２５４。
フォロー対象者は講師へ質問やコンテンツへの要望事項等を講師に対し伝える２５５。
フォローが完了した場合は２５６、テレビ会議室から退出し２５７、フォローの完了２５８、２５９となる。
以上がイーラーニング・テレビ会議システムを利用した場合の動作フローである。
【産業上の利用可能性】
【００４０】
本発明は、例えば、各種の通信ネットワークを介して固定及び／又は移動型の各種利用者・講師・登録者等の端末を接続し、オンデマンド配信とテレビ会議を提供可能なように構成された様々なイーラーニング・テレビ会議システムに適用することができる。
【符号の説明】
【００４１】
１０１      イーラーニングシステム
１０２      テレビ会議システム（テレビ会議サーバ）
１０３      利用者端末
１０４      講師端末
１０５      登録者端末
１０６      ＩＰ−Ｎｅｔｗｏｒｋ
【図１】
2012039288.tif 000003
【図２】
2012039288.tif 000004
【図３】
2012039288.tif 000005
【図４】
2012039288.tif 000006
【図５】
2012039288.tif 000007
【図６】
2012039288.tif 000008
【図７】
2012039288.tif 000009
【図８】
2012039288.tif 000010
【図９】
2012039288.tif 000011
【図１０】
2012039288.tif 000012
【図１１】
2012039288.tif 000013
【図１２】
2012039288.tif 000014
【図１３】
2012039288.tif 000015
【図１４】
2012039288.tif 000016
【図１５】
2012039288.tif 000017
【図１６】
2012039288.tif 000018
【図１７】
2012039288.tif 000019